(57)【要約】【課題】乗客が携帯端末を操作せずに行先階を指定しても、乗客の携帯端末に行先階に関する広告を送信することができるエレベーター、携帯端末、及びエレベーターシステムを提供する。【解決手段】本発明によるエレベーターは、乗かご４と、エレベーター制御部２と、乗かご４の内部に設置され、エレベーターの乗客が携帯する携帯端末３０と無線通信をする広告配信装置１０を備える。広告配信装置１０は、携帯端末３０との無線通信の電波強度を計測する電波監視部１３と、広告データを格納する記憶部２１とを備え、電波強度の値が規定値Ａ以上であれば、記憶部２１に格納された広告データを携帯端末３０に送信する広告データ送信処理を行い、乗かご４が停車している着床階をエレベーター制御部２から取得し、乗かご４の停車中に電波強度の値が規定値Ｂ未満であれば、着床階を携帯端末３０に送信する。【選択図】図２
2017171422.tif 000002
【特許請求の範囲】
【請求項１】
乗かごと、
エレベーター制御部と、
前記乗かごの内部に設置され、前記エレベーターの乗客が携帯する携帯端末と無線通信をする広告配信装置と、
を備え、
前記広告配信装置は、
前記携帯端末との無線通信の電波強度を計測する電波監視部と、広告データを格納する記憶部と、を備え、
前記電波強度の値が第１の規定値以上であれば、前記記憶部に格納された前記広告データを前記携帯端末に送信する広告データ送信処理を行い、
前記乗かごが停車している着床階を前記エレベーター制御部から取得し、
前記乗かごの停車中に前記電波強度の値が第２の規定値未満であれば、前記着床階を前記携帯端末に送信する、
ことを特徴とする広告配信装置を備えるエレベーター。
【請求項２】
前記広告配信装置は、
前記乗かごの停車中に、予め定めた所定の回数連続して計測した前記電波強度が時間と共に増加していれば、前記電波強度の値が前記第１の規定値以上であるかを判定し、
前記電波強度の値が前記第１の規定値以上であれば、前記広告データ送信処理を行う、
請求項１に記載の広告配信装置を備えるエレベーター。
【請求項３】
前記広告配信装置は、
前記エレベーター制御部から取得する前記乗かごの進行方向に基づいて、前記広告データ送信処理で前記携帯端末に送信する前記広告データを選択する、
請求項１または請求項２に記載の広告配信装置を備えるエレベーター。
【請求項４】
エレベーターの乗かごの内部に設置された広告配信装置と無線通信をし、
表示部と、
前記広告配信装置が第１の規定値以上の前記無線通信の電波強度を計測した際に、前記広告配信装置から受信した広告データを格納する記憶部と、
前記広告配信装置が前記乗かごの停車中に第２の規定値未満の前記電波強度を計測した際に、前記記憶部に格納された前記広告データのうち、前記広告配信装置から受信した前記乗かごが停車している着床階についての前記広告データを前記表示部に表示するコンテンツ表示指令部と、を備える、
ことを特徴とする携帯端末。
【請求項５】
乗かごとエレベーター制御部とを備えるエレベーターと、
表示部を備え、前記エレベーターの乗客が携帯する携帯端末と、
前記乗かごの内部に設置され、前記携帯端末と無線通信をする広告配信装置と、
を備え、
前記広告配信装置は、
前記携帯端末との無線通信の電波強度を計測する電波監視部と、広告データを格納する記憶部と、を備え、
前記電波強度の値が第１の規定値以上であれば、前記記憶部に格納された前記広告データを前記携帯端末に送信する広告データ送信処理を行い、
前記乗かごが停車している着床階を前記エレベーター制御部から取得し、
前記乗かごの停車中に前記電波強度の値が第２の規定値未満であれば、前記着床階を前記携帯端末に送信し、
前記携帯端末は、前記広告配信装置から送信された前記広告データのうち、前記広告配信装置から送信された前記着床階についての広告データを前記表示部に表示する、
ことを特徴とするエレベーターシステム。
【発明の詳細な説明】
【技術分野】
【０００１】
本発明は、乗客が携帯している携帯端末に広告を配信するエレベーター、携帯端末、及びエレベーターシステムに関する。
【背景技術】
【０００２】
エレベーターの乗客が携帯している携帯端末に広告を配信する従来のエレベーターシステムには、例えば、特許文献１に記載されているものがある。特許文献１には、エレベーター利用者の携帯電話に、行先階に関する個別情報を例えばガイダンス方式で送信することが可能であり、Ｂｌｕｅｔｏｏｔｈ（登録商標）技術によって、広告を携帯電話に送信することが可能なエレベーターシステムが記載されている。
【先行技術文献】
【特許文献】
【０００３】
【特許文献１】特表２００８−５０４１９３号公報
【発明の概要】
【発明が解決しようとする課題】
【０００４】
特許文献１に記載のエレベーターシステムは、エレベーターを利用する乗客が携帯する携帯端末に対して、乗客の行先階に関する広告を送信する。このエレベーターシステムでは、乗客が携帯端末を操作して行先階を指定することが前提となっている。このため、特許文献１に記載のエレベーターシステムは、従来の一般的なエレベーターの行先階の指定方法である、乗客がエレベーターの乗かご内に設置された行先階釦を操作して行先階を指定したときには、行先階を把握することができず、携帯端末に行先階に関する広告を送信することができないという課題がある。
【０００５】
そこで、本発明は、乗客が、携帯端末を操作せずに、エレベーターの乗かご内に設置された行先階釦を操作して行先階を指定しても、乗客が携帯する携帯端末に乗客の行先階に関する広告を送信することができる、広告配信装置を備えるエレベーター、携帯端末、及びエレベーターシステムを提供することを目的とする。
【課題を解決するための手段】
【０００６】
本発明による、広告配信装置を備えるエレベーターは、乗かごと、エレベーター制御部と、前記乗かごの内部に設置され、前記エレベーターの乗客が携帯する携帯端末と無線通信をする広告配信装置とを備える。前記広告配信装置は、前記携帯端末との無線通信の電波強度を計測する電波監視部と、広告データを格納する記憶部とを備え、前記電波強度の値が第１の規定値以上であれば、前記記憶部に格納された前記広告データを前記携帯端末に送信する広告データ送信処理を行い、前記乗かごが停車している着床階を前記エレベーター制御部から取得し、前記乗かごの停車中に前記電波強度の値が第２の規定値未満であれば、前記着床階を前記携帯端末に送信する。
【発明の効果】
【０００７】
本発明によると、乗客が、携帯端末を操作せずに、エレベーターの乗かご内に設置された行先階釦を操作して行先階を指定しても、乗客が携帯する携帯端末に乗客の行先階に関する広告を送信することができる、広告配信装置を備えるエレベーター、携帯端末、及びエレベーターシステムを提供することができる。
【図面の簡単な説明】
【０００８】
【図１Ａ】本発明の実施例によるエレベーターシステムのエレベーター乗り場及び昇降路の縦断面図であり、エレベーターを利用して１階から２階に移動する乗客の動きのうち乗客が乗車前の状態を示す図である。
【図１Ｂ】本発明の実施例によるエレベーターシステムのエレベーター乗り場及び昇降路の縦断面図であり、エレベーターを利用して１階から２階に移動する乗客の動きのうち乗客が乗車中の状態を示す図である。
【図１Ｃ】本発明の実施例によるエレベーターシステムのエレベーター乗り場及び昇降路の縦断面図であり、エレベーターを利用して１階から２階に移動する乗客の動きのうち乗客が降車後の状態を示す図である。
【図２】本実施例によるエレベーターシステムの要部の構成を示すブロック図である。
【図３】本実施例によるエレベーターシステムにおいて、広告配信装置から携帯端末に広告データを配信する方法のフローチャートである。
【図４】本実施例によるエレベーターシステムにおいて、センター装置の配信コンテンツ登録部が表示する、広告データを登録又は更新するときの操作画面の一例を示す図である。
【図５】本実施例によるエレベーターシステムにおいて、センター装置が、広告データを登録又は更新し、広告配信装置に広告データを送信する方法のフローチャートである。
【発明を実施するための形態】
【０００９】
本発明によるエレベーターシステムは、エレベーターの乗かご内に設置された広告配信装置が、広告配信装置と乗客が携帯する携帯端末との通信の電波強度を基に、乗客が乗かごを降車したことを把握し、乗客が乗かごを降車した階（行先階）に関する広告を乗客の携帯端末に送信する。このような構成により、乗客がエレベーターの乗かご内に設置された行先階釦を操作して行先階を指定する場合において、乗客が携帯端末を操作しなくても、乗客の携帯端末に乗客の行先階に関する広告を送信することができる。上記以外の本発明の解決する課題、構成及び効果は、以下の実施形態例の説明により明らかにされる。
【００１０】
以下、本発明の実施例によるエレベーターシステムを、図面を参照して説明する。本実施例において、広告は、広告データによって表されるものとする。広告データは、広告（例えば、ちらしや割引券などを含む）を表示するためのデータであり、以下の説明では、単に「広告」とも称する。
【００１１】
図１Ａ、図１Ｂ、及び図１Ｃは、本発明の実施例によるエレベーターシステムのエレベーター乗り場及び昇降路の縦断面図であり、エレベーターを利用して１階から２階に移動する乗客の動きを示す図である。図１Ａは乗客が乗かごに乗車前の状態を、図１Ｂは乗客が乗かごに乗車中の状態を、図１Ｃは乗客が乗かごから降車後の状態を、それぞれ示している。
【００１２】
エレベーター１は、エレベーター制御部２と、ロープ３と、乗かご４と、行先階釦５と、昇降路６とを備える。エレベーター制御部２は、図示しないモーターの回転制御を行う。また、エレベーター制御部２は、図示しないドアの開閉装置などのエレベーター１が備える各種装置の動作状態と、乗かご４の着床階を監視している。モーターが回転すると、モーターに連結した図示しないシーブが従動する。ロープ３は、シーブの溝にかけられており、シーブが回転するとロープ３も同時に上下に移動する。乗かご４は、ロープ３に吊り下げられており、ロープ３の上下移動と連動して上下に移動する。乗かご４は、箱型であり、複数の乗客を一度に運搬することができ、内部に広告配信装置１０を備える。行先階釦５は、乗かご４の内壁面に設置されており、乗かご４を停止させることができる階床分の押し釦を備える。乗客８が行先階釦５を押下すると、エレベーター制御部２は乗かご４を行先階へ移動させる。昇降路６は、乗かご４が上下移動するための縦に伸びる筒状の空間である。
【００１３】
図１Ａ〜図１Ｃには、エレベーター１の階床名７を示している。本実施例では、エレベーター１が３階の建物に設置されているとし、建物の最下階（１階）を１Ｆ、中間階（２階）を２Ｆ、最上階（３階）を３Ｆと表す。
【００１４】
乗客８は、エレベーター１の利用者で、携帯端末３０を携帯している。携帯端末３０には、乗かご４の内部に設置された広告配信装置１０と通信し広告を表示するソフトウェアが、予めインストールされているものとする。
【００１５】
広告配信装置１０は、携帯端末３０とＢｌｕｅｔｏｏｔｈ（登録商標）やＷｉＦｉなどの無線通信をする。図１Ａに示した電波強度Ｓは、広告配信装置１０と携帯端末３０との間の無線通信における電波の強さを数値で示したもので、広告配信装置１０が常時計測している。この電波強度Ｓは、一般的に、電波の遮蔽物がなければ通信する装置間の距離に反比例する。すなわち、電波強度Ｓは、広告配信装置１０と携帯端末３０との距離が長いと小さくなり、短いと大きくなる。
【００１６】
図１Ａ〜図１Ｃは、乗客８が携帯する携帯端末３０と広告配信装置１０の位置関係を時系列で表している。時間は、図１Ａ〜図１Ｃの順に進んでいる。図１Ａは、乗客８が１Ｆで乗かご４に乗車しようとする乗車前の状態を示している。図１Ｂは、乗客８が乗かご４に乗車した乗車中の状態を示している。図１Ｃは、乗かご４が行先階である２Ｆに着床し、乗客８が乗かご４から降りた降車後の状態を示している。図１Ａ〜図１Ｃに示すように、乗客の位置に応じて広告配信装置１０と携帯端末３０との距離が変化する。
【００１７】
図２は、本実施例によるエレベーターシステムの要部の構成を示すブロック図である。本発明の実施例によるエレベーターシステムは、エレベーター１と、携帯端末３０と、センター装置４０とを備える。図２では、エレベーター１のうち、エレベーター制御部２と広告配信装置１０のみを示した。
【００１８】
まず、広告配信装置１０について説明する。広告配信装置１０は、制御部１１と、送受信部１２と、携帯端末電波監視部１３、乗かご乗車判定部１４と、乗かご降車判定部１５と、乗かご着床階監視部１６と、着床階送信部１７、コンテンツ受信部１８と、コンテンツ格納部１９と、コンテンツ送信部２０と、記憶部２１とを備える。
【００１９】
制御部１１は、広告配信装置１０の動作を司り、主にエレベーター制御部２からエレベーター１が備える各種装置の動作状態を取得する。送受信部１２は、携帯端末３０と無線通信で接続され、広告配信装置１０と携帯端末３０との間でデータ通信を行う。携帯端末電波監視部１３は、携帯端末３０からの通信電波の信号を取得し、携帯端末３０との無線通信の電波強度Ｓを常時計測している。
【００２０】
乗かご乗車判定部１４は、携帯端末電波監視部１３が計測した電波強度Ｓを順次取得し、電波強度Ｓが徐々に増加していけば、乗客８が乗かご４に乗車しようとしていると判断する。乗客８が乗かご４に近づくと、携帯端末３０と広告配信装置１０との距離が徐々に短くなり、電波強度Ｓは徐々に大きくなる。そこで、乗かご乗車判定部１４は、携帯端末電波監視部１３が所定の回数（例えば３回）連続して計測した電波強度Ｓが徐々に増加すれば、乗客８が乗かご４に乗車しようとしているものと判断する。さらに、乗かご乗車判定部１４は、電波強度Ｓの値が予め設定した規定値Ａ以上であれば、乗客８が乗かご４に乗車したと判断する。この規定値Ａは、携帯端末３０が乗かご４内に存在するときの携帯端末３０と広告配信装置１０との距離や電波強度Ｓの値を基に決めることができ、予めエレベーター１の保守作業者が実際に電波強度Ｓを計測することで決定できる。本実施例では、規定値Ａを２０ｄＢと設定し、電波強度Ｓが２０ｄＢ以上であれば、乗かご乗車判定部１４は、乗客８が乗かご４に乗車したと判断する。
【００２１】
乗かご降車判定部１５は、携帯端末電波監視部１３が計測した、乗かご４に乗車中の乗客８の携帯する携帯端末３０が発信する通信電波の電波強度Ｓの値が予め設定した規定値Ｂ未満であれば、乗客８が乗かご４を降車したと判断する。この規定値Ｂは、携帯端末３０が乗かご４外（エレベーター乗り場）に存在するときの携帯端末３０と広告配信装置１０との距離や電波強度Ｓの値を基に決めることができ、予めエレベーター１の保守作業者が実際に電波強度Ｓを計測することで決定できる。本実施例では、規定値Ｂを１０ｄＢと設定し、乗かご乗車判定部１４が乗客８が乗かご４に乗車したと判断した後、電波強度Ｓが１０ｄＢ未満になれば、乗かご降車判定部１５は、この乗客８が乗かご４を降車したと判断する。
【００２２】
乗かご着床階監視部１６は、制御部１１を介してエレベーター制御部２から乗かご４の現在の着床階、及び乗かご４の状態（例えば、移動中であるか停車中であるか）を常時取得する。着床階送信部１７は、乗かご降車判定部１５が電波強度Ｓが規定値Ｂ未満であると判定した場合（すなわち、乗客８が乗かご４を降車したと判断した場合）、乗かご着床階監視部１６が取得した着床階の情報を携帯端末３０に送受信部１２を介して送信する。
【００２３】
コンテンツ受信部１８は、センター装置４０から送信された広告データを、広域ネットワーク（例えばインターネット）を介して受信する。コンテンツ格納部１９は、コンテンツ受信部１８が受信した広告データを記憶部２１に格納する。コンテンツ送信部２０は、乗かご乗車判定部１４が電波強度Ｓが規定値Ａ以上であると判定した場合（すなわち、乗客８が乗かご４に乗車したと判断した場合）、記憶部２１に格納された広告データを携帯端末３０に送受信部１２を介して送信する。
【００２４】
記憶部２１は、データの記憶領域であり、広告データ、規定値Ａ、及び規定値Ｂなどの情報を格納する。
【００２５】
次に、携帯端末３０について説明する。携帯端末３０は、送受信部３１と、制御部３２と、スピーカー３６と、バイブレーション部３７と、記憶部３８と、操作部３３と、表示部３４と、コンテンツ表示指令部３５とを備える。携帯端末３０には、広告配信装置１０と通信し広告を表示するソフトウェアがインストールされている。
【００２６】
送受信部３１は、広告配信装置１０の送受信部１２と無線通信で接続され、携帯端末３０と広告配信装置１０との間でデータ通信を行う。制御部３２は、携帯端末３０の動作を司る。
【００２７】
スピーカー３６は、音声、音楽、及びアラーム音などの音を出力する装置であり、音により乗客８に広告の表示を通知することができる。バイブレーション部３７は、携帯端末３０を振動させる装置であり、振動により乗客８に広告の表示を通知することができる。記憶部３８は、広告配信装置１０の送受信部１２から送信された広告データを格納する記憶領域である。
【００２８】
操作部３３は、乗客８が携帯端末３０を操作するための入力インターフェースであり、例えば釦やタッチパネル式のディスプレイである。表示部３４は、各種情報を表示する画面であり、昨今の携帯端末ではタッチパネル式のディスプレイとなっている。乗客８は、操作部３３を操作することによって、例えば、表示部３４での広告の表示やスピーカー３６からの音の出力やバイブレーション部３７の動作を停止することができる。
【００２９】
コンテンツ表示指令部３５は、記憶部３８に格納された広告データを表示部３４に表示する。
【００３０】
次に、センター装置４０について説明する。センター装置４０は、広告配信装置１０の記憶部２１に格納される広告データを登録又は更新する装置であり、コンテンツ送信部４１と、コンテンツ送信指令部４２と、配信コンテンツ登録部４３と、記憶部４４とを備える。センター装置４０は、任意の位置に設置することができ、例えば、エレベーター１が設置された建物の管理会社やエレベーター１の監視センターや広告代理店などの、エレベーター１から離れた位置に設置することができる。
【００３１】
コンテンツ送信部４１は、広告配信装置１０のコンテンツ受信部１８に広域ネットワークを介して広告データを送信する。コンテンツ送信指令部４２は、広告データを広告配信装置１０に送信する処理を司る。配信コンテンツ登録部４３は、広告データを登録したり更新したりする操作画面を表示する。記憶部４４は、配信コンテンツ登録部４３にて登録又は更新された広告データを保存する記憶領域である。コンテンツ送信部４１が広告配信装置１０に広告データを送信する時期は、任意であり、例えば、配信コンテンツ登録部４３で広告データが登録又は更新されたときに、コンテンツ送信部４１は、広告配信装置１０に広告データを送信する。
【００３２】
図３は、本実施例によるエレベーターシステムにおいて、広告配信装置１０から携帯端末３０に広告データを配信する方法のフローチャートである。図３では、広告配信装置１０と携帯端末３０のそれぞれの処理手順を対応させて示している。
【００３３】
なお、図３では、説明を簡単にするために、広告配信装置１０が１台の携帯端末３０に対して行う処理を示している。広告配信装置１０が処理を行う携帯端末３０が複数台ある場合には、広告配信装置１０は、携帯端末３０のそれぞれを、携帯端末３０が所持するユニークな識別番号（例えばＭＡＣアドレス）によって区別し、それぞれの携帯端末３０に対して図３に示す処理を行う。携帯端末３０の識別番号は、携帯端末電波監視部１３が携帯端末３０との無線通信の電波強度Ｓを計測する際に、制御部１１が携帯端末３０から取得する。制御部１１は、識別番号で携帯端末３０を区別し、それぞれの携帯端末３０に対して互いに異なる処理を行うように広告配信装置１０を制御することができる。
【００３４】
以下、図１Ａ〜図１Ｃに示すように乗客８が１Ｆの乗場から乗かご４に乗車して行先階である２Ｆで降車するまでの間に、広告配信装置１０が乗客８の携帯する携帯端末３０に広告データを送信し、携帯端末３０が広告を表示する処理手順を、図２のブロック図と図３のフローチャートとを対応付けて説明する。
【００３５】
ＳＡ１で、乗かご４の停車中に、乗客８が乗かご４に乗車するために乗かご４に近づくと（図１Ａ）、広告配信装置１０の携帯端末電波監視部１３は、携帯端末３０の送受信部３１から発信された通信電波を受信し、この通信電波の電波強度Ｓの計測を開始する。携帯端末電波監視部１３は、この電波強度Ｓを周期的に連続して計測し、計測した値を記憶部２１に格納する。乗かご乗車判定部１４は、携帯端末電波監視部１３が電波強度Ｓを計測するたびに、電波強度Ｓを記憶部２１から取得する。
【００３６】
ＳＡ２で、携帯端末電波監視部１３が電波強度Ｓを所定の回数（例えば３回）だけ計測すると（ＳＡ２でＹｅｓ）、ＳＡ３で、乗かご乗車判定部１４は、携帯端末電波監視部１３が計測した、所定の回数連続した直近の電波強度Ｓを記憶部２１から取得し、取得した電波強度Ｓが時間と共に増加しているかを判定する。この判定は、携帯端末電波監視部１３が電波強度Ｓを所定の回数（例えば３回）連続して計測するたびに行われる。
【００３７】
なお、ＳＡ１での電波強度Ｓの計測周期とＳＡ２とＳＡ３での所定の回数（計測回数）は、予め任意に定めることができ、エレベーター１の敷設状況に応じて、最も精度が高くなるようにエレベーター１の保守作業者が決定する。
【００３８】
ＳＡ３で、乗かご乗車判定部１４が、取得した電波強度Ｓが時間と共に増加していないと判定した場合は（ＳＡ３でＮｏ）、ＳＡ１に戻る。この判定の要因には、携帯端末３０と広告配信装置１０との距離が一旦小さくなった後に大きくなったことが挙げられ、例えば、エレベーター１に他のエレベーターが併設されており乗客８が他のエレベーターに乗車した場合、乗客８が乗かご４への乗車を途中で中止した場合、及び乗客８が乗かご４の前を通り過ぎた場合などに、ＳＡ３でこの判定がされる。
【００３９】
ＳＡ３で、乗かご乗車判定部１４が、取得した電波強度Ｓが時間と共に増加していると判定した場合は（ＳＡ３でＹｅｓ）、ＳＡ４に進む。なお、後述のＳＡ８のように、ＳＡ３の前に、乗りかご４の停車を把握した上で行えば、より判定精度は向上できる。
【００４０】
ＳＡ４で、乗かご乗車判定部１４は、記憶部２１から取得した電波強度Ｓの値が規定値Ａ（例えば２０ｄＢ）以上であるかを判定する。電波強度Ｓの値が規定値Ａ以上であれば（ＳＡ４でＹｅｓ）、乗客８が乗かご４に乗車した（図１Ｂ）と判断することができ、ＳＡ５に進む。乗客８が乗かご４に乗車すると、広告配信装置１０と携帯端末３０との距離がより小さくなり、電波強度Ｓの値が規定値Ａ以上になるからである。電波強度Ｓの値が規定値Ａ未満であれば（ＳＡ４でＮｏ）、ＳＡ３に戻り、電波強度Ｓが増加するかを監視する。
【００４１】
ＳＡ５で、コンテンツ送信部２０は、記憶部２１に格納された広告データを、送受信部１２を介して携帯端末３０の送受信部３１に送信する処理（広告データ送信処理）を行う。コンテンツ送信部２０は、記憶部２１に格納された広告データのうち、全ての階床についての広告データを携帯端末３０に送信してもよく、エレベーター制御部２から取得する乗かご４の進行方向に基づいて選択した広告データを携帯端末３０に送信してもよい。例えば、コンテンツ送信部２０は、乗かご４の進行方向のみにある全ての階床についての広告データを携帯端末３０に送信してもよい。
【００４２】
携帯端末３０は、広告配信装置１０からの広告データの配信を待ち受けている。
【００４３】
ＳＢ１で、携帯端末３０の送受信部３１が広告配信装置１０から広告データを受信すると（ＳＢ１でＹｅｓ）、ＳＢ２で、送受信部３１は、受信した広告データを記憶部３８に格納する。
【００４４】
ＳＡ６で、広告配信装置１０の乗かご着床階監視部１６は、制御部１１を介したエレベーター制御部２との通信により、乗かご４が移動を開始したことを把握する。
【００４５】
ＳＡ７で、乗かご着床階監視部１６は、エレベーター制御部２との通信により、乗かご４の着床階を監視する。
【００４６】
ＳＡ８で、乗かご着床階監視部１６は、エレベーター制御部２との通信により、乗かご４が停車したことを把握すると、乗かご４が停車している着床階をエレベーター制御部２から取得し、ＳＡ９に進む（ＳＡ８でＹｅｓ）。
【００４７】
ＳＡ９で、乗かご降車判定部１５は、携帯端末電波監視部１３が計測した最新の電波強度Ｓを記憶部２１から取得する。
【００４８】
ＳＡ１０で、乗かご降車判定部１５は、乗かご４の停車中に、記憶部２１から取得した電波強度Ｓの値が規定値Ｂ（例えば１０ｄＢ）未満であるかを判定する。電波強度Ｓの値が規定値Ｂ未満であれば（ＳＡ１０でＹｅｓ）、乗客８が乗かご４を降車した（図１Ｃ）と判断することができ、ＳＡ１２に進む。乗客８が乗かご４を降車すると、広告配信装置１０と携帯端末３０との距離が大きくなり、電波強度Ｓの値は規定値Ｂ未満になるからである。電波強度Ｓの値が規定値Ｂ以上であれば（ＳＡ１０でＮｏ）、乗客８が乗かご４を降車しなかったと判断し、ＳＡ１１に進む。
【００４９】
ＳＡ１１で、乗かご降車判定部１５は、制御部１１を介したエレベーター制御部２との通信により、乗かご４が移動を開始したかを判定する。乗かご４が移動していなければ（ＳＡ１１でＮｏ）、ＳＡ９とＳＡ１０を実行し続け、乗かご４が移動したら（ＳＡ１１でＹｅｓ）、ＳＡ７に戻る。
【００５０】
ＳＡ１２で、着床階送信部１７は、ＳＡ８で乗かご着床階監視部１６が取得した乗かご４の着床階を取得し、この着床階についての広告データが、ＳＡ５でコンテンツ送信部２０が携帯端末３０に送信した広告データの中に含まれているかを判定する。着床階についての広告データが、携帯端末３０に送信した広告データの中に含まれていれば（ＳＡ１２でＹｅｓ）、ＳＡ１３に進む。
【００５１】
ＳＡ１３で、着床階送信部１７は、ＳＡ１２で取得した乗かご４の着床階を、送受信部１２を介して、携帯端末３０（ＳＡ１０で電波強度Ｓの値が規定値Ｂ未満であると判定された電波を発信した携帯端末３０）の送受信部３１に送信する。
【００５２】
広告データを受信した携帯端末３０は、広告配信装置１０から乗かご４の着床階が送信されるのを待ち受けている。
【００５３】
ＳＢ３で、携帯端末３０の送受信部３１が広告配信装置１０から乗かご４の着床階を受信すると（ＳＢ３でＹｅｓ）、ＳＢ４で、携帯端末３０のコンテンツ表示指令部３５は、記憶部３８に格納された広告データのうち、乗かご４の着床階についての広告データを表示部３４に表示する。
【００５４】
ＳＢ５で、コンテンツ表示指令部３５は、乗客８に広告が表示されたことを通知するために、スピーカー３６に音を出力させることと、バイブレーション部３７を作動させて携帯端末３０を振動させることのうち、少なくとも一方を行う。
【００５５】
以上の処理手順において、ＳＡ２とＳＡ３の処理を行うことにより、広告配信装置１０は、ＳＡ５で携帯端末３０に広告データを送信する前に、広告データを送信するための準備を行うことができる。広告配信装置１０は、ＳＡ２とＳＡ３の処理により乗客８が乗かご４に乗車することを予想できるので、乗かご４に乗車すると予想される乗客８が乗かご４に乗車したときに配信する広告データを前もって準備することができ、ＳＡ５では短時間で滞りなく携帯端末３０に広告データを送信することができる。
【００５６】
次に、センター装置４０が、広告配信装置１０の記憶部２１に格納される広告データを、登録又は更新する方法を説明する。
【００５７】
図４は、本実施例によるエレベーターシステムにおいて、センター装置４０の配信コンテンツ登録部４３が表示する操作画面の一例を示す図である。配信コンテンツ登録部４３は、広告データを新たに登録したり更新したりするときの操作画面を表示する。この操作画面は、エレベーター１毎に設定することができ、エレベーター１が設置された建物の階床のそれぞれに対して、１つ又は複数の広告データを登録できる。図４には、１Ｆ、２Ｆ、及び３Ｆのそれぞれに対して、１つの広告データを登録する操作画面を例示した。なお、この操作画面を用いた広告データの登録又は更新は、例えば、エレベーター１が設置された建物の管理会社やテナント賃貸者や広告代理店が定期的に行う。
【００５８】
配信コンテンツ登録部４３が表示する操作画面は、階床欄４３Ａと、コンテンツ内容欄４３Ｂと、ファイル更新欄４３Ｃと、登録・更新釦４３Ｄとを備える。
【００５９】
階床欄４３Ａは、エレベーター１が設置された建物の階床を示す欄である。コンテンツ内容欄４３Ｂは、階床欄４３Ａの階床についての広告データの名称を入力及び表示する欄である。広告データには、広告データの登録又は更新を行う人が分かり易い名称を付けることができる。ファイル更新欄４３Ｃは、登録又は更新する広告データが記録された電子ファイルを選択するための釦が配置された欄である。ファイル更新欄４３Ｃには、例えば図４に示すように参照釦が表示され、広告データの登録又は更新を行う人が参照釦を押下すると、広告データが記録された電子ファイル（広告情報ファイル）を任意に選択できる。広告情報ファイルは、文字、画像、若しくは動画、又はこれらの結合などのデータが格納されたデータファイルであり、予め作成しておく。登録・更新釦４３Ｄは、ファイル更新欄４３Ｃで選択した広告情報ファイルを登録又は更新するための釦であり、押下されると選択した広告情報ファイルが広告データとして記憶部４４に格納される。
【００６０】
図５は、本実施例によるエレベーターシステムにおいて、センター装置４０が、広告データを登録又は更新し、広告配信装置１０に広告データを送信する方法のフローチャートである。図５では、センター装置４０と広告配信装置１０のそれぞれの処理手順を対応させて示している。
【００６１】
ＳＣ１で、センター装置４０の配信コンテンツ登録部４３が表示する操作画面により広告データが登録又は更新され、登録・更新釦４３Ｄが押下される。
【００６２】
ＳＣ２で、配信コンテンツ登録部４３は、記憶部４４に広告データを格納する。
【００６３】
ＳＣ３で、コンテンツ送信指令部４２は、記憶部４４に格納された広告データを、広告配信装置１０のコンテンツ受信部１８に、コンテンツ送信部４１を介して送信する。既に説明したように、コンテンツ送信部４１が広告配信装置１０に広告データを送信する時期は、任意である。
【００６４】
ＳＤ１で、広告配信装置１０のコンテンツ受信部１８がセンター装置４０から広告データを受信すると（ＳＤ１でＹｅｓ）、ＳＤ２に進む。
【００６５】
ＳＤ２で、広告配信装置１０のコンテンツ格納部１９は、センター装置４０から受信した広告データを記憶部２１に格納する。
【００６６】
本実施例によるエレベーターシステムは、以上のような構成により、広告配信装置１０と携帯端末３０との間の電波強度Ｓを基に乗客８が乗かご４を降車したことを把握して、乗客８が携帯端末３０を操作しなくても、乗客８が降車した階に関する広告データを携帯端末３０に送信することができる。
【００６７】
また、本発明を複数の乗かごを備えたエレベーターシステムに適用してもよい。その場合、乗かご乗車判定部１４の規定値Ａは、乗客が乗った乗かごを間違えない程度に高い値に設定してもよい。その他、乗かごの着床情報や、各乗かごが備える複数の広告配信装置１０の電波強度を、乗客が乗った乗かごの判定に用いてもよい。
【００６８】
なお、本発明は、上記の実施例に限定されるものではなく、様々な変形が可能である。例えば、上記の実施例は、本発明を分かりやすく説明するために詳細に説明したものであり、本発明は、必ずしも説明した全ての構成を備える態様に限定されるものではない。
【符号の説明】
【００６９】
１…エレベーター、２…エレベーター制御部、３…ロープ、４…乗かご、５…行先階釦、６…昇降路、７…階床名、８…乗客、１０…広告配信装置、１１…制御部、１２…送受信部、１３…携帯端末電波監視部、１４…乗かご乗車判定部、１５…乗かご降車判定部、１６…乗かご着床階監視部、１７…着床階送信部、１８…コンテンツ受信部、１９…コンテンツ格納部、２０…コンテンツ送信部、２１…記憶部、３０…携帯端末、３１…送受信部、３２…制御部、３３…操作部、３４…表示部、３５…コンテンツ表示指令部、３６…スピーカー、３７…バイブレーション部、３８…記憶部、４０…センター装置、４１…コンテンツ送信部、４２…コンテンツ送信指令部、４３…配信コンテンツ登録部、４３Ａ…階床欄、４３Ｂ…コンテンツ内容欄、４３Ｃ…ファイル更新欄、４３Ｄ…登録・更新釦、４４…記憶部。
【図１Ａ】
2017171422.tif 000003
【図１Ｂ】
2017171422.tif 000004
【図１Ｃ】
2017171422.tif 000005
【図２】
2017171422.tif 000006
【図３】
2017171422.tif 000007
【図４】
2017171422.tif 000008
【図５】
2017171422.tif 000009